(57)【要約】【課題】  遊技参加部品の操作性を良くすること。【解決手段】  遊技機１１は、筐体１２と、筐体１２の前面に開閉可能に設けた前面扉２４と、前面扉２４に設けた遊技に参加する遊技参加部品７１と、を備えた遊技機であって、前面扉２４に設けられて遊技者が該遊技者の肘から指先までの体の一部を乗せることのできる支持部材７２を備え、支持部材７２は、遊技者が体の一部を乗せたとき、体の一部が遊技参加部品７１に届く位置に設けてある。【選択図】      図１
2005237664.tif 000002
【特許請求の範囲】
【請求項１】
筐体と、
前記筐体の前面に開閉可能に設けた前面扉と、
前記前面扉に設けた遊技に参加する遊技参加部品と、を備えた遊技機において、
前記前面扉に設けられて遊技者が該遊技者の肘から指先までの体の一部を乗せることのできる支持部材を備え、
前記支持部材は、前記遊技者が前記体の一部を乗せたとき、前記体の一部が前記遊技参加部品に届く位置に設けてあることを特徴とする遊技機。
【請求項２】
前記筐体と前記前面扉との間に位置して前記筐体の前面に開閉可能に設けられた中間扉に入賞口を設けてある遊技盤を備え、
前記前面扉が、前記遊技盤を覆って開閉可能なガラス枠と、前記ガラス枠の下方に位置して払いだされた賞球としての遊技球を受け止める球受け皿とを有し、
前記支持部材が、前記ガラス枠の下部に対向する前記球受け皿に位置する支持部に支持され、かつ前記ガラス枠が開かれた状態で前記球受け皿に対して着脱可能であることを特徴とする請求項１に記載の遊技機。
【請求項３】
前記前面扉の一端側に位置して前記遊技盤に遊技球を発射する発射ハンドルを備え、
前記支持部材が、前記前面扉の他端側に位置していることを特徴とする請求項１又は２に記載の遊技機。
【発明の詳細な説明】
【技術分野】
【０００１】
本発明は、パチンコ機等の遊技機に関し、特に遊技者が遊技に参加する遊技参加部品（いわゆる、チャンスボタン）の操作性を良くした遊技機に関する。
【背景技術】
【０００２】
一般に、遊技機、例えばパチンコ機として、球受け皿に滞留している遊技球としてのパチンコ球が、発射ハンドルの操作によって遊技盤上に打ち出された後、遊技盤面上の障害釘や風車等の遊技部品に導かれつつ遊技盤面を流下して、各種入賞口に入球し、あるいは入球しないで遊技盤下部のアウト口に流入するように構成したものが知られている。
【０００３】
このようなパチンコ機は、一般入賞口にパチンコ球が入球したとき、その入賞口に応じた数のパチンコ球を払い出すようになっている。また、パチンコ機は、スタートチャッカにパチンコ球が入球したとき、そのスタートチャッカに応じた所定数のパチンコ球が払い出されるとともに、大当たり抽選が行われて、その抽選の結果に応じて、遊技盤の中央に設けてある液晶等からなる特別図柄表示画面上で所定の演出表示を行うようになっている。パチンコ機は、大当たりが発生したときには、アタッカと呼ばれる特別入賞口を開放して、入球に応じて多量のパチンコ球を払い出すようになっている。
【０００４】
また、パチンコ機は、遊技者が発射ハンドルを、遊技中、掴んでいなければならない。このため、長時間遊技していると、腕が疲れることになる。腕の疲れ防止に肘掛けアームを備えたパチンコ機がある（例えば、特許文献１参照）。
【０００５】
【特許文献１】特開平８−１９１９４７号公報
【発明の開示】
【発明が解決しようとする課題】
【０００６】
ところで、上述のパチンコ機の機種によっては、近年、特別図柄表示画面上で繰り広げられる演出に遊技者を参加させて、大当たり発生への期待感を高める遊技参加部品（いわゆる、チャンスボタン）としての遊技参加ボタンを遊技機前面の適宜の位置に設けてあるものがある。この遊技参加ボタンは、例えば、特別図柄表示画面上に、上下３列、左右３列の絵柄のうち２つが上下方向、左右方向または斜め方向の或るライン上で揃ったリーチ確定から次の段階に発展する、いわゆる、スーパーリーチのときに、ライン上に揃った２つの同じ絵柄に対し、残る１絵柄として同じものが揃うか否かの期待感を、遊技者が押すことによって高めさせるようになっている。
【０００７】
しかし、遊技参加ボタンを押す度に、遊技参加ボタンまで腕を上げなければならない。このため、長時間遊技すると腕が疲れて遊戯に集中することができなくなる。上記従来の肘掛けアームは、発射ハンドルを掴む腕が疲れないようにしたものであって、遊技参加ボタンを押す腕が疲れないようにするようになっていない。このため、遊技参加ボタンを押す腕が疲れないようにしたパチンコ機の出現が望まれていた。
【０００８】
本発明は、遊技参加部品の操作性を良くした遊技機を提供することを目的としている。
【課題を解決するための手段】
【０００９】
請求項１に係る発明は、筐体（１２）と、前記筐体（１２）の前面に開閉可能に設けた前面扉（２４）と、前記前面扉（２４）に設けた遊技に参加する遊技参加部品（７１）と、を備えた遊技機において、前記前面扉（２４）に設けられて遊技者が該遊技者の肘から指先までの体の一部を乗せることのできる支持部材（７２）を備え、前記支持部材（７２）は、前記遊技者が前記体の一部を乗せたとき、前記体の一部が前記遊技参加部品（７１）に届く位置に設けてあることを特徴とする遊技機（１１）である。
【００１０】
請求項２に係る発明は、前記筐体（１２）と前記前面扉（２４）との間に位置して前記筐体（１２）の前面に開閉可能に設けられた中間扉（２１）に入賞口を設けてある遊技盤（３１）を備え、前記前面扉（２４）が、前記遊技盤（３１）を覆って開閉可能なガラス枠（２２）と、前記ガラス枠（２２）の下方に位置して払いだされた賞球としての遊技球を受け止める球受け皿（３５）とを有し、前記支持部材（７２）が、前記ガラス枠（２２）の下部に対向する前記球受け皿（３５）に位置する支持部に支持され、かつ前記ガラス枠（２２）が開かれた状態で前記球受け皿（３５）に対して着脱可能であることを特徴とする請求項１に記載の遊技機（１１）である。
【００１１】
請求項３に係る発明は、前記前面扉（２４）の一端側に位置して前記遊技盤（３１）に遊技球を発射する発射ハンドル（３７）を備え、前記支持部材（７２）が、前記前面扉（２４）の他端側に位置していることを特徴とする請求項１又は２に記載の遊技機（１１）である。
【００１２】
なお、括弧内の符号は、便宜的に、図面と対照しやすくするために付したものであって、本発明の構成をなんら限定するものではない。
【発明の効果】
【００１３】
請求項１に係る遊技機は、遊技者が、支持台に肘から指先までの体の一部を支持させて、指先で遊技参加部品を操作することができて、疲れることなく、楽に遊技を楽しむことができる。
【００１４】
請求項２に係る遊技機は、支持部材が、ガラス枠が開かれた状態で球受け皿に対して着脱可能になっているので、ガラス枠を開かないかぎり、支持部材を、着脱することができないので、支持部材が、遊技者によって、いたずらに持ち去られないようになっている。
【００１５】
請求項３に係る遊技機は、支持部材を、前面扉の発射ハンドルを設けてある側とは反対側に設けてあるので、一方の手で発射ハンドルを操作し、他方の手で遊技参加部品を操作することができて、遊技における操作性を高めることができる。
【発明を実施するための最良の形態】
【００１６】
以下、本発明の実施形態の遊技機を図に基づいて説明する。
【００１７】
図１は、本発明の実施形態における遊技機としてのパチンコ機の概略斜視図である。図２は、図１の遊技機の概略正面図である。図３は、図１の遊技機の左側面図である。図４は、支持部材としての腕掛け台の分解斜視図である。図５は、図１の遊技機の前面板としてのガラス枠を開いたときの遊技機の外観斜視図である。
【００１８】
遊技機１１は、筐体１２と、前枠１３等を備えている。前枠１３は、中間扉である遊技盤枠２１と、前面扉としての前面パネル２４とで構成されている。すなわち、筐体１２の前面に遊技盤枠２１が位置し、遊技盤枠２１の前面に前面パネル２４が位置している。前面パネル２４は、ガラス枠２２と、皿ユニット２３等で構成されている。
【００１９】
遊技盤枠２１は、筐体１２に開閉自在に設けてあり、遊技盤３１を有している。遊技盤３１には、ファール球止ばね５１、風車５２、エスカッション５３、サイドランプ５４、２連チャッカ５５、パスゲート５６、スタートチャッカ５７、アタッカ５８、アウト口５９、不図示の複数本の障害釘等の遊技部品を有している。
【００２０】
ファール球止ばね５１は、不図示の球発射装置によって勢い良く発射された遊技球としてのパチンコ球が球受け６１に当たって跳ね返って球発射路６２に逆流するのを阻止するようになっている。風車５２は、パチンコ球が当たると回転してパチンコ球の流れを変えて、遊技性を高めるようになっている。エスカッション５３は、液晶等からなる特別図柄表示画面６３を有している。特別図柄表示画面６３は、遊技盤３１のほぼ中央に設けてある。サイドランプ５４は、遊技に応じてカラーランプが点滅するようになっている。２連チャッカ５５は、並んだ２つの入賞口５５ａを有している。入賞口５５ａにパチンコ球が入ると、入賞口５５ａに応じた数だけの賞球としてのパチンコ球が払い出し受け入れ口３６（図５参照）から払い出されるようになっている。パスゲート５６は、パチンコ球を素通りさる間にパチンコ球の流れの方向を変えるようになっているとともに、スタートチャッカ５７を開くようになっている。スタートチャッカ５７は、当たりが発生したとき、入賞口にパチンコ球が入りやすいように、開く一対の開閉片５７ａを有している。アタッカ５８は、大当たりが発生したとき開く開閉蓋６４を有した特別入賞口である。アウト口５９は、どの入賞口にも入らなかったパチンコ球が排出される口である。
【００２１】
ガラス枠２２は、筐体１２に開閉自在に設けてあり、左スピーカ３３、右スピーカ３４、遊技盤３１を覆うガラス３２（図５参照）を有している。また、ガラス枠２２の前面には、遊技参加部品である遊技参加ボタン７１（図１参照）を設けてある。遊技参加ボタン７１は、特別図柄表示画面６３上に、不図示の上下３列、左右３列の絵柄のうち２つが上下方向、左右方向、または斜め方向の或るライン上で揃ったリーチ確定から次段階に発展する、いわゆるスーパーリーチのときに、ライン上に揃った２つの同じ絵柄に対し、残る１絵柄として同じものが揃うか否かの期待感を高める演出を、遊技者が押すことによって高めさせるようになっている。
【００２２】
皿ユニット２３は、ガラス枠２２の下方で筐体１２に開閉自在に設けてあり、遊技盤枠２１の下部部分を開閉するようになっている。皿ユニット２３は、パチンコ球を発射させる発射ハンドル３７と、パチンコ球を溜めておく球受け皿３５等で構成されている。
【００２３】
球受け皿３５には、遊技盤枠２１側からの払い出される賞球の受け入れ口としての払い出し受け入れ口３６と、パチンコ球を排出する排出口３８等を形成してある。排出口３８は、蓋３９によって開閉されるようになっている。蓋３９は、余剰球排出ボタン４１を遊技者が押すと、排出口３８を開くようになっている。余剰球排出ボタン４１の隣には、球受け皿３５内を完全に空にする完全排出ボタン４２を設けてある。球受け皿３５の下部には、不図示の球払い出し口を形成してある。この球払い出し口は、球受け皿３５の構造上、球受け皿３５の下から覗き込まなければ見えない場所に形成してある。
【００２４】
パチンコ球の流れを説明する。
【００２５】
遊技者によって、球受け皿３５にパチンコ球が供給される。そのパチンコ球は、遊技盤３１の下部に設けた不図示の球発射装置に転がり込む。遊技者が発射ハンドル３７を回転させると、球発射装置がパチンコ球を遊技盤３１に発射する。パチンコ球は、遊技盤３１上を転がり落ちる。パチンコ球は、転がり落ちる間に、２連チャッカ５５、スタートチャッカ５７、及びアタッカ５８のいずれかに入賞する。どこにも入賞しないパチンコ球は、アウト口５９から排出される。
【００２６】
２連チャッカ５５、スタートチャッカ５７、及びアタッカ５８のいずれかに入賞するパチンコ球があると、入賞に応じた数の賞球としてのパチンコ球が払い出し受け入れ口３６から払い出される。その賞球としてのパチンコ球は、球発射装置に転がり込み、その後の発射に使用される。
【００２７】
球発射装置から発射られるパチンコ球の数より、払い出し受け入れ口３６から払い出されるパチンコ球が多いと、球受け皿３５にパチンコ球が溜まる。溜まったパチンコ球は、余剰球排出ボタン４１を押して、蓋３９によって排出口３８を開くと、排出口３８を経て、不図示の払い出し口から排出される。排出されたパチンコ球は、払い出し口の下に遊技者によって用意してある賞球箱（いわゆる、ドル箱）に受け止められる。
【００２８】
パチンコ球が無くなる前に遊技を終了する場合には、完全排出ボタン４２を押すと、球受け皿３５と球発射装置とにあるパチンコ球すべてが、払い出し口から排出される。
【００２９】
以上の球の流れにおいて、前述したスーパーリーチのときに、遊技者は、遊技参加ボタン７１を押すことがある。スーパーリーチは、比較的多く発生するため、遊技者は、遊技参加ボタン７１を頻繁に押すことが多い。しかも、遊技者は、１回のスーパーリーチで、遊技参加ボタン７１を短時間に連続的に押すことが多い。この結果、腕が疲れて遊技に集中できなくなることがある。
【００３０】
そこで、遊技者の手を支持する支持部材としての支持台７２を前枠１３に設けてある。支持台７２は、前枠１３の球受け皿３５に、発射ハンドル３７を設けてある側とは反対側に設けてある。支持台７２は、遊技者が遊技者の肩から指先までの体の一部、例えば手首を乗せたとき、指先が遊技参加ボタン７１に届く位置に設けてある。
【００３１】
したがって、遊技者は、手首を支持台７２の支持面７２ａにおいて支持させると指先が自ずと遊技参加ボタン７１に届くので、疲れることなく、楽に遊技を楽しむことができる。しかも、支持台７２は、発射ハンドル３７の反対側に設けてあるので、右手で発射ハンドル３７を操作し、左手で遊技参加ボタン７１を操作することができて、パチンコ機１１の遊技における操作性を高めることができる。支持台７２は、手を乗せないとき、タバコを置いたり、缶ジュースを置いたりすることもできるようになっている。
【００３２】
支持台７２は、直角三角形状に形成されて、球受け皿３５に着脱されるようになっている。支持台７２は、球受け皿３５に着脱自在の取り付け板７３と、取り付け板７３に組み付けられる支持枠７４とで構成されている。
【００３３】
取り付け板７３には、球受け皿３５側に突出した突片７５，７６と、支持枠７４が組み込まれる突片８１，８２とを形成してある。突片７５，７６は、球受け皿３５を上下から挟み込むことができる位置に突設してある。突片７５は、ガラス枠２２の下部２２ａと球受け皿３５の後方上部３５ａとの間に進入するようになっている。球受け皿３５の後方上部３５ａには、上向きの支持ピン７７を突設してある。この支持ピン７７は、ガラス枠２２を開かないと見えない場所に突設してある。
【００３４】
この支持ピン７７に突片７５に形成してある係合孔７８を係合させることによって、支持台７２を球受け皿３５に取り付けることができ、ガラス枠２２を閉じると、ガラス枠２２の下部２２ａが突片７５の真上に移動して、突片７５がガラス枠２２の下部２２ａと球受け皿３５との間に挟まれて、突片７５が支持ピン７７から抜けるのを防止される。突片７５、支持ピン７７、及び係合孔７８とで支持部７９が形成されている。なお、突片７５は複数突設してあってもよい。
【００３５】
したがって、支持台７２は、ガラス枠２２を開かないかぎり、着脱することができないようになっているので、遊技者によって、いたずらに持ち去られないようになっている。
【００３６】
なお、支持台７２は、取り付け板７３に対して高さ方向に位置を調整できるようにして、遊技者が体に合わせて遊技参加ボタンを押しやすいようにしてもよい。
【００３７】
また、遊技参加部品は、遊技参加ボタンであるが、これに限定されることなく、遊技参加レバーであってもよい。
【図面の簡単な説明】
【００３８】
【図１】本発明の実施形態における遊技機としてのパチンコ機の概略斜視図である。
【図２】図１の遊技機の概略正面図である。
【図３】図１の遊技機の左側面図である。
【図４】支持部材としての腕掛け台の分解斜視図である。
【図５】図１の遊技機の前面板としてのガラス枠を開いたときの遊技機の外観斜視図である。
【符号の説明】
【００３９】
１１      遊技機
１２      筐体
１３      前枠
２１      遊技盤枠（中間扉）
２２      ガラス枠
２２ａ    下部
２３      皿ユニット
２４      前面パネル（前面扉）
３１      遊技盤
３５      球受け皿
３５ａ    後方上部
３７      発射ハンドル
５３      エスカッション
５５      ２連チャッカ
５５ａ    入賞口
５６      パスゲート
５７      スタートチャッカ
５７ａ    開閉片
５８      アタッカ
６３      特別図柄表示画面
６４      開閉蓋                                            
７１      遊技参加ボタン（遊技参加部品）
７２      支持台（支持部材）
７２ａ    支持面
７３      取り付け板
７４      支持枠
７５      突片
７６      突片
７７      支持ピン
７８      係合孔
【図１】
2005237664.tif 000003
【図２】
2005237664.tif 000004
【図３】
2005237664.tif 000005
【図４】
2005237664.tif 000006
【図５】
2005237664.tif 000007